(57)【特許請求の範囲】
【請求項１】
排水管の上端部に嵌着される排水皿を備えた浴室の洗い場に湯を溜めるのに使用され、
前記排水管の内径に対応する内径の短円筒状の周壁部の底部に底壁部が一体に形成されて、当該底壁部には、多数の排水孔が形成され、
前記底壁部の外周部には、前記排水管の上端開口に設けられた排水皿嵌着凹部に嵌着可能な被嵌着部が形成されている湯溜め具であって、
前記周壁部の一部には、全高に亘る排水口が形成され、当該排水口は、上下方向にスライド可能な閉塞板により一部又は全部が閉塞され、当該閉塞板の上下方向の配置位置により前記排水口の開口面積を調整して、排水量の調整を行う構成であることを特徴とする浴室洗い場で使用される湯溜め具。
【請求項２】
排水管の上端部に嵌着される排水皿を備えた浴室の洗い場に湯を溜めるのに使用され、
前記排水管の内径に対応する内径の短円筒状の周壁部の底部に底壁部が一体に形成されて、当該底壁部には、多数の排水孔が形成され、
前記底壁部の外周部には、前記排水管の上端開口に設けられた排水皿嵌着凹部に嵌着可能な被嵌着部が形成されている湯溜め具であって、
前記周壁部には、周方向に沿って所定間隔をおいて、下端から高さ方向に沿った途中まで開口された複数の排水口が形成され、当該周壁部の外側には、当該周壁部に形成された複数の排水口に対応する位置に同様の複数の排水口が形成された円筒状の開口調整具が回動可能に嵌着されて、
前記周壁部に対する前記開口調整具の周方向の位置の調整により、当該周壁部及び開口調整具の各排水口が合成された合成排水口の面積を調整して排水量の調整を行う構成であることを特徴とする浴室洗い場で使用される湯溜め具。
【請求項３】
排水管の上端部に嵌着される排水皿を備えた浴室の洗い場に湯を溜めるのに使用され、
前記排水管の内径に対応する内径の短円筒状の周壁部の底部に底壁部が一体に形成されて、当該底壁部には、多数の排水孔が形成され、
前記底壁部の外周部には、前記排水管の上端開口に設けられた排水皿嵌着凹部に嵌着可能な被嵌着部が形成されている湯溜め具であって、
前記周壁部における所定の中心角の部分は、当該周壁部の高さが漸次変化した高さ変化部となっていて、当該高さ変化部の高さが最も低い部分には、下端から高さ方向に沿った途中まで開口された排水口が形成され、当該周壁部の外側には、前記周壁部と同一高さの円筒体に、高さ変化部の高さの変化の方向のみが前記周壁部と逆となった構成の調整具が回動可能に嵌着されて、
前記周壁部に対する前記調整具の周方向の位置の調整により、当該周壁部及び調整具の各排水口が合成された合成排水口の面積を調整して排水量の調整を行うと共に、当該周壁部及び調整具の各高さ変化部の周方向に沿った重複長の調整により、各排水口を閉塞した状態で、前記周壁部の所定の中心角の部分において高さを低くすることにより、浴室洗い場に溜められた湯の深さを変化させる構成であることを特徴とする浴室洗い場で使用される湯溜め具。
【発明の詳細な説明】
【技術分野】
【０００１】
本発明は、排水管の上端部に嵌着された排水皿を備えた浴室の洗い場を暖めることを目的として、当該洗い場に湯を溜めるのに使用される湯溜め具に関するものである。
【背景技術】
【０００２】
上記した目的に使用される湯溜め具としては、特許文献１，２を含めて多数の出願がなされている。しかし、特許文献１の湯溜め具は、洗い場に湯を溜める必要がなくなった場合には、その全体を排水皿の部分から撤去させる必要があり、湯溜めの必要が生ずる毎に、湯溜め具の設置、及びその撤去を繰り返す必要があって、そのための作業が面倒であったり、その作業を忘れてしまうことが多々発生する。
【０００３】
特許文献２の湯溜め具によれば、上記不具合は解消されるものの、排水目皿の裏面に排水筒を一体に取付けて、その全体を昇降する構造にする必要があるため、既存の浴室の洗い場に設置するには、排水管の部分の全体を交換する必要があって、交換のための作業が大掛かりとなる不具合がある。
【先行技術文献】
【特許文献】
【０００４】
【特許文献１】特開２００２−１９４７８９号公報
【特許文献２】特開２００７−１６５７４号公報
【発明の概要】
【発明が解決しようとする課題】
【０００５】
本発明は、浴室洗い場の排水管に対する設置が容易であって、しかも設置したままで排水量の調整が可能な湯溜め具の提供を課題としている。
【課題を解決するための手段】
【０００６】
【０００７】
【０００８】
上記課題を解決するための請求項１の発明は、排水管の上端部に嵌着される排水皿を備えた浴室の洗い場に湯を溜めるのに使用され、前記排水管の内径に対応する内径の短円筒状の周壁部の底部に底壁部が一体に形成されて、当該底壁部には、多数の排水孔が形成され、前記底壁部の外周部には、前記排水管の上端開口に設けられた排水皿嵌着凹部に嵌着可能な被嵌着部が形成されている湯溜め具であって、前記周壁部の一部には、全高に亘る排水口が形成され、当該排水口は、上下方向にスライド可能な閉塞板により一部又は全部が閉塞され、当該閉塞板の上下方向の配置位置により前記排水口の開口面積を調整して、排水量の調整を行う構成であることを特徴としている。
【０００９】
請求項１の発明によれば、閉塞板を上下方向にスライドさせることにより、排水口の高さを調整して排水量を調整できるので、浴室の洗い場を暖めたい場合には、閉塞板により排水口の全体を閉塞すればよいし、洗い場の湯をそのまま流したい場合には、閉塞板を上端までスライドさせて、排水口の高さを最大にしておけばよく、閉塞板を中間の高さに配置することにより、適量の湯を短時間だけ洗い場に溜めておくことができる。このように、目的に応じて、閉塞板のスライドによって排水口の高さを調整すればよいので、湯溜め具は、そのまま設置しておくことが可能である。
【００１０】
請求項２の発明は、排水管の上端部に嵌着される排水皿を備えた浴室の洗い場に湯を溜めるのに使用され、前記排水管の内径に対応する内径の短円筒状の周壁部の底部に底壁部が一体に形成されて、当該底壁部には、多数の排水孔が形成され、前記底壁部の外周部には、前記排水管の上端開口に設けられた排水皿嵌着凹部に嵌着可能な被嵌着部が形成されている湯溜め具であって、前記周壁部には、周方向に沿って所定間隔をおいて、下端から高さ方向に沿った途中まで開口された複数の排水口が形成され、当該周壁部の外側には、当該周壁部に形成された複数の排水口に対応する位置に同様の複数の排水口が形成された円筒状の開口調整具が回動可能に嵌着されて、前記周壁部に対する前記開口調整具の周方向の位置の調整により、当該周壁部及び開口調整具の各排水口が合成された合成排水口の面積を調整して排水量の調整を行う構成であることを特徴としている。
【００１１】
請求項１の発明は、閉塞板を上下方向にスライドさせることにより、閉塞開口の高さを調整して、排水量を調整する構成であるのに対して、請求項２の発明は、湯溜め具の周壁部の外側に回動可能に嵌着された円筒状の開口調整具の回動位置によって、湯溜め具の周壁部及び開口調整具の各排水口が合成された合成開口の面積が調整されて、排水量が調整される。よって、請求項２の発明においても、湯溜め具は、そのまま設置した状態で、浴室の洗い場に湯を溜めたり、或いは湯を溜めることなく、そのまま即座に排水したり、更には、その中間状態である短時間だけ必要量の湯を溜めることの選択が可能となる。
【００１２】
請求項３の発明は、排水管の上端部に嵌着される排水皿を備えた浴室の洗い場に湯を溜めるのに使用され、前記排水管の内径に対応する内径の短円筒状の周壁部の底部に底壁部が一体に形成されて、当該底壁部には、多数の排水孔が形成され、前記底壁部の外周部には、前記排水管の上端開口に設けられた排水皿嵌着凹部に嵌着可能な被嵌着部が形成されている湯溜め具であって、前記周壁部における所定の中心角の部分は、当該周壁部の高さが漸次変化した高さ変化部となっていて、当該高さ変化部の高さが最も低い部分には、下端から高さ方向に沿った途中まで開口された排水口が形成され、当該周壁部の外側には、前記周壁部と同一高さの円筒体に、高さ変化部の高さの変化の方向のみが前記周壁部と逆となった構成の調整具が回動可能に嵌着されて、前記周壁部に対する前記調整具の周方向の位置の調整により、当該周壁部及び調整具の各排水口が合成された合成排水口の面積を調整して排水量の調整を行うと共に、当該周壁部及び調整具の各高さ変化部の周方向に沿った重複長の調整により、各排水口を閉塞した状態で、前記周壁部の所定の中心角の部分において高さを低くすることにより、浴室洗い場に溜められた湯の深さを変化させる構成であることを特徴としている。
【００１３】
請求項３の発明によれば、湯溜め具を設置したままで、浴室洗い場に湯を溜めることができると共に、排水も行うこともでき、これに加えて、排水量の調整のみならず、洗い場に湯を溜める場合において、その湯の深さの調整を行うことも可能となる。
【発明の効果】
【００１４】
本発明に係る湯溜め具によれば、周壁部に上下方向にスライド可能に設けられた閉塞板により排水口の高さを調整したり、周壁部の外側に回動可能に嵌着された円筒状の開口調整具の周方向の位置により排水口の面積を変えたり、更には、高さ変化部を有する周壁部に嵌着された調整具により、当該周壁部の高さを調整することで、浴室の洗い場の排水管の上端部に湯溜め具を設置したままで、浴室の洗い場に湯を溜めたり、或いは湯を溜めることなく、そのまま即座に排水したり、更には、その中間状態である短時間だけ必要量の湯を溜めることの選択が可能となる。
【図面の簡単な説明】
【００１５】
【図１】浴室Ｒの洗い場Ｂの断面図である。
【図２】参考例１の湯溜め具Ａ1 の設置状態の斜視図である。
【図３】（ａ）は、設置状態の湯溜め具Ａ1 の平面図であり、（ｂ）は、（ａ）のＸ−Ｘ線断面図である。
【図４】（ａ），（ｂ）は、実施例１の湯溜め具Ａ2 の異なる使用状態の斜視図である。
【図５】（ａ）は、排水口Ｈ2 を開いた状態の湯溜め具Ａ2 の平面図であり、（ｂ）は、（ａ）のＹ−Ｙ線断面図である。
【図６】実施例２の湯溜め具Ａ3 の分解斜視図である。
【図７】（ａ），（ｂ）は、湯溜め具Ａ3 の異なる使用状態の斜視図である。
【図８】（ａ），（ｂ）は、湯溜め具Ａ3 の異なる使用状態の平面断面図である。
【図９】実施例３の湯溜め具Ａ4 の分解斜視図である。
【図１０】湯溜め具Ａ4 を構成する湯溜め具本体３１及び調整具３２の展開図である。
【図１１】（ａ），（ｂ）は、それぞれ湯溜め具Ａ4 の排水時、及び湯溜め時の状態の斜視図である。
【図１２】（ａ）は、湯溜め具本体２１の周壁部１１”の所定中心角の部分の高さが低くなった状態の斜視図であり、（ｂ）は、（ａ）のＺ−Ｚ線断面図である。
【図１３】浴室Ｒの洗い場Ｂの排水管１の部分の断面図である。
【発明を実施するための形態】
【００１６】
以下、参考例、及び複数の実施例を挙げて、本発明について更に詳細に説明する。
【参考例１】
【００１７】
本発明の参考例１の湯溜め具Ａ1 が、図１ないし図３に示されている。浴室Ｒの洗い場Ｂは、他の部分に対して段差状となって低く形成され、当該洗い場Ｂにおける壁面Ｗに近接した最も低い部分には、当該洗い場Ｂに流された湯ＨＷを排出させる排水管１が設けられ、当該排水管１の上端部の排水皿嵌着凹部２には、皿状をしていて、多数の排水孔が形成された排水皿３（図１３）が嵌着されている。排水皿３は、洗い場Ｂのタイル面４とほぼ同一面上に配置される。なお、図１において、Ｍは、人であり、５は、先端にシャワー管６が連結されたシャワーホースであり、７は、水栓である。
【００１８】
湯溜め具Ａ1 は、前記排水管１の内径に対応した内径を有する短円筒状の周壁部１１の底部に底壁部１２が一体に形成され、当該底壁部１２の外周には、前記排水管１の上端部の排水皿嵌着凹部２に嵌着される環状の被嵌着部１３が、前記周壁部１１に対して段差状となって形成されている。底壁部１２には、同一方向に沿って短スリット状をした多数の排水孔１４が形成されている。周壁部１１の高さＫは、浴室Ｒを暖めるのに必要な湯量の確保の観点から、３〜５ｃｍ程度が好ましい。湯溜め具Ａ1 の材質としては、洗い場Ｂに湯ＨＷが張られた状態で、浮力による浮上を防止するために、水よりも密度の大きな密度を有する材質であることが好ましく、具体的には、腐食を避ける観点からして、アルミニウム等の軽金属が好ましい。なお、図２及び図３において、８は、排水管１の上端部に外側に向けて設けられた鍔部を示す。
【００１９】
このため、図２及び図３に示されるように、常設された排水皿３を撤去して、排水管１の上端部の排水皿嵌着凹部２に、湯溜め具Ａ1 の底壁部１２の外周部に形成された被嵌着部１３を嵌着させて、排水管１の上端部に湯溜め具Ａ1 を設置する。この状態で、例えば、シャワー浴を行う場合には、これに使用された洗い湯ＨＷは、その深さがＫとなるまでは洗い場Ｂに溜められ、これを超える洗い湯ＨＷは、湯溜め具Ａ1 の周壁部１１の上端を越流して、底壁部１２の排水孔１４を通って排水管１から外部に排水される。洗い場Ｂに深さＫの洗い湯ＨＷが溜められることにより、浴室Ｒ内の全体が暖められる。
【００２０】
湯溜め具Ａ1 は、底壁部１２の被嵌着部１３が排水管１の排水皿嵌着凹部２に嵌着されて、当該排水管１の上端部に設置されているために、使用中において、横方向にずれたりして外れる恐れが少ない。
【実施例１】
【００２１】
本発明の実施例１の湯溜め具Ａ2 が、図４及び図５に示されている。湯溜め具Ａ2 は、洗い場Ｂに湯ＨＷを張らない場合にも対応可能なように、前記湯溜め具Ａ1 の周壁部１１に排水口Ｈ2 が形成されたものである。即ち、周壁部１１の周方向の特定の一箇所には、全高に亘って排水口Ｈ2 が形成され、当該排水口Ｈ2 は、上下方向にスライド可能であって、横断面が前記周壁部１１に対応した円弧状に形成された閉塞板１５により、全部又は一部が閉塞される構成になっている。なお、周壁部１１に全高に亘る排水口Ｈ2 を設けることにより形成された当該周壁部１１の対向端面１１ａには、全高に亘る嵌合溝１６ａが形成されていると共に、前記閉塞板１５の上下方向に沿った各端面には、前記嵌合溝１６ａに対応する嵌合突条１６ｂが形成され、両者１６ａ，１６ｂの嵌合により、周壁部１１の排水口Ｈ2 の部分において、当該周壁部１１に対して閉塞板１５がスライド可能に嵌合されている。
【００２２】
このため、湯溜め具Ａ2 の周壁部１１の排水口Ｈ2 の全てが閉塞板１５により閉塞された状態では、洗い場Ｂに湯ＨＷを溜めることができ、前記排水口Ｈ2 の全部又は一部を開口させた場合には、洗い場Ｂに流された湯ＨＷは、前記排水口Ｈ2 を通して排水管１に排出される。閉塞板１５により排水口Ｈ2 の開口面積を調整することにより、排出量の調整ができる。このため、湯溜め具Ａ2 を排水管１の上端部に設置したままで、洗い場Ｂに湯ＨＷを溜める場合と、洗い場Ｂに流された湯ＨＷをそのまま排水させる場合との双方に対して対処可能となる。
【００２３】
なお、排水量を多くしたい場合には、周方向に沿った複数箇所に排水口Ｈ2 を設けることにより対処できる。
【実施例２】
【００２４】
本発明の実施例２の湯溜め具Ａ3 が、図６ないし図８に示されている。湯溜め具Ａ3 は、実施例１の湯溜め具Ａ2 と同様に、排水管１の上端部に設置したままで、洗い場Ｂに湯ＨＷを溜める場合と、洗い場Ｂに流された湯ＨＷをそのまま排水させる場合との双方に対して対処可能にしたものである。湯溜め具Ａ3 は、湯溜め具本体２１と、当該湯溜め具本体２１の周壁部１１’の外側に回動可能に嵌着される短円筒状の開口調整具２２とから成る。湯溜め具本体２１の基本構成は、前記湯溜め具Ａ2 に近似していて、周壁部１１’に形成される排水口Ｈ31の形成位置が異なるのみであるので、この部分についてのみ説明し、他の同一部分には、図面に符号のみを付して説明を略す。即ち、湯溜め具本体２１の周壁部１１’には、下端から高さ方向の途中まで開口された複数の排水口Ｈ31が周方向に沿って所定間隔をおいて形成されている。
【００２５】
一方、開口調整具２２は、湯溜め具本体２１の周壁部１１’に対して僅かに大きな相似形であって、当該周壁部１１’に形成された複数の排水口Ｈ31と対応する位置に同等形状の排水口Ｈ32が形成されている。排水口Ｈ32の高さは、排水口Ｈ31の高さと等しいが、排水口Ｈ32の周方向に沿った長さは、排水口Ｈ31のそれよりも僅かに短い。
【００２６】
このため、洗い場Ｂに湯ＨＷを溜める場合には、図７（ａ）及び図８（ａ）に示されるように、湯溜め具本体２１の周壁部１１’に設けられた各排水口Ｈ31と、その外側に嵌着された開口調整具２２の各排水口Ｈ32の周方向に沿った位置をずらして、湯溜め具本体２１の全ての排水口Ｈ31を開口調整具２２によって閉塞させる。一方、洗い場Ｂの流された湯ＨＷをそのまま排水するには、図７（ｂ）及び図８（ｂ）に示されるように、湯溜め具本体２１の周壁部１１’に設けられた各排水口Ｈ31と、その外側に嵌着された開口調整具２２の各排水口Ｈ32の周方向に沿った位置を合致させて、各排水口Ｈ31，Ｈ32を、本来の排水口として機能させる。各排水口Ｈ31，Ｈ32を、本来の排水口として機能させる場合においては、湯溜め具本体２１に対する開口調整具２２の周方向に沿った位置の調整により、各排水口Ｈ31，Ｈ32の合成により形成される合成排水口の面積を調整できるので、洗い場Ｂの湯ＨＷの排出量の調整を行える。
【実施例３】
【００２７】
本発明の実施例３の湯溜め具Ａ4 が、図９ないし図１２に示されている。湯溜め具Ａ4 は、実施例１及び同２の各湯溜め具Ａ2 ，Ａ3 と同様に、排水管１の上端部に設置したままで、洗い場Ｂに湯ＨＷを溜める場合と、洗い場Ｂに流された湯ＨＷをそのまま排水させる場合との双方に対して対処可能にしたものである。湯溜め具Ａ4 は、湯溜め具本体３１と、当該湯溜め具本体３１の周壁部１１”の外側に回動可能に嵌着される短円筒状の調整具３２とから成る。湯溜め具本体３１は、周壁部１１”と、当該周壁部１１”に一体に形成された底壁部１２とから成り、周壁部１１”は、所定の中間角の部分の高さが漸次変化している高さ変化部１１”ａが形成され、当該高さ変化部１１”ａの高さが最も低い部分には、下端から上端に近い部分まで開口された排水口Ｈ41が形成され、当該排水口Ｈ41の上端を形成している連結部３３は、周壁部１１”の高さ変化部１１”ａと一般部（「高さ変化部１１”ａ」を除く高さが一定している部分）を連結した形態となっている。よって、高さ変化部１１”ａの一端は、一般部に対して高さが漸次変化した状態で接続されているが、その他端は、一般部に対して段差状となって接続されている。一方、調整具３２は、湯溜め具本体３１の周壁部１１”と同様に高さ変化部３２ａ及び排水口Ｈ42を備えており、当該高さ変化部３２ａの高さの変化の方向が、湯溜め具本体３１の周壁部１１”の高さ変化部１１”ａと逆の関係になっている点が異なるのみであって、他は同一構成である。なお、図中３４は、調整具３２の連結部を示す。
【００２８】
よって、図１１（ａ）に示されるように、湯溜め具本体３１の周壁部１１”の排水口Ｈ41と、調整具３２の排水口Ｈ42とを合致させると、当該各排水口Ｈ41，Ｈ42の部分では、連結部３３，３４の部分を除いて、全高に亘って、洗い場Ｂに溜まった湯ＨＷを排出可能な排水口が形成されて、排出量を大きくできる。また、図１１（ｂ）に示されるように、湯溜め具本体３１の周壁部１１”と調整具３２の一般部の段差状となった部分を僅かに重複させると、両者１１”，３２の各排水口Ｈ41，Ｈ42のいずれもが、互いに他方の一般部により閉塞されて、全周に亘って、同一高さＫとなって、当該高さで、洗い場Ｂに湯ＨＷを溜められる。
【００２９】
更に、図１２に示されるように、湯溜め具本体３１の周壁部１１”と調整具３２の各高さ変化部１１”ａ，３２ａの部分を互いに重複させると、両者１１”，３２の各排水口Ｈ41，Ｈ42のいずれもが、互いに他方の一般部により閉塞された状態で、湯溜め具Ａ4 としての周壁部の高さが一般部の高さＫよりも低い部分が発生する。このため、洗い場Ｂに溜められた湯ＨＷの深さの調整が可能となる。なお、図１２において、Ｋ’は、湯溜め具Ａ4 の周壁部の最も低い部分の高さを示す。
【符号の説明】
【００３０】
Ａ1 〜Ａ4 ：湯溜め具
Ｂ：洗い場
Ｈ2,Ｈ31，Ｈ32，Ｈ41，Ｈ42：排水口
ＨＷ：湯（洗い湯）
Ｒ：浴室
１：排水管
２：排水皿嵌着凹部
３：排水皿
１１，１１',１１”：湯溜め具の周壁部
１１”ａ：周壁部の高さ変化部
１２：湯溜め具の底壁部
１３：湯溜め具の被嵌着部
１４：排水孔
１５：閉塞板
２１，３１：湯溜め具本体
２２：開口調整具
３２：調整具
３２ａ：調整具の高さ変化部
【図１】
0005860764.tif 000002
【図２】
0005860764.tif 000003
【図３】
0005860764.tif 000004
【図４】
0005860764.tif 000005
【図５】
0005860764.tif 000006
【図６】
0005860764.tif 000007
【図７】
0005860764.tif 000008
【図８】
0005860764.tif 000009
【図９】
0005860764.tif 000010
【図１０】
0005860764.tif 000011
【図１１】
0005860764.tif 000012
【図１２】
0005860764.tif 000013
【図１３】
0005860764.tif 000014